【手続補正書】
【提出日】平成17年11月22日(2005.11.22)
【手続補正１】
【補正対象書類名】明細書
【補正対象項目名】特許請求の範囲
【補正方法】変更
【補正の内容】
【特許請求の範囲】
【請求項１】  好ましい作用形態がエステル官能基の加水分解を触媒することである酵素の阻害を必要とする状態を治療するための薬剤であって、前記状態が肥満又は肥満関連障害である薬剤の製造における、式（Ｉ）を含む化合物、又はその薬学的に受け入れ可能な塩、エステル、アミド又はプロドラッグの使用。
【化１】
2002534388.tif 000001
式（Ｉ）中、
Ａは６員芳香族又はヘテロ芳香族環であり；
Ｒ１は分岐型、又は非分岐型アルキル（任意に１またはそれ以上の酸素原子により割り込まれている）、アルケニル、アルキニル、シクロアルキル、シクロアルケニル、アリール、アリールアルキル、還元型アリールアルキル、アリールアルケニル、ヘテロアリール、ヘテロアリールアルキル、ヘテロアリールアルケニル、還元型アリール、還元型ヘテロアリール、還元型ヘテロアリールアルキル、またはこれらの置換誘導体であり、ここでの置換基は独立に１またはそれ以上のハロゲン、アルキル、ハロ置換型アルキル、アリール、アリールアルキル、ヘテロアリール、還元型ヘテロアリール、還元型ヘテロアリールアルキル、アリールアルコキシ、シアノ、ニトロ、−Ｃ（Ｏ）Ｒ４、−ＣＯ２Ｒ５、−ＳＯＲ４、−ＳＯ２Ｒ４、−ＮＲ６Ｒ７、−ＯＲ６、−ＳＲ６−、−Ｃ（Ｏ）ＣＸ１Ｘ２ＮＲ６Ｒ７、−Ｃ（Ｏ）Ｎ（ＯＨ）Ｒ６、−Ｃ（Ｏ）ＮＲ５Ｒ４、−ＮＲ６Ｃ（Ｏ）Ｒ４、−ＣＲ６（ＮＨ２）ＣＯ２Ｒ６、−ＮＨＣＸ１Ｘ２ＣＯ２Ｒ６、−Ｎ（ＯＨ）Ｃ（Ｏ）ＮＲ６Ｒ７、−Ｎ（ＯＨ）Ｃ（Ｏ）Ｒ４、−ＮＨＣ（Ｏ）ＮＲ６Ｒ７、−Ｃ（Ｏ）ＮＨＮＲ６Ｒ７、−Ｃ（Ｏ）Ｎ（ＯＲ５）Ｒ６であり、ただし、Ｒ１のどのヘテロ原子置換基も少なくとも２炭素原子分（好ましくは飽和型）、環外酸素原子から隔てられていなければならず；
Ｒ４は、水素、アルキル、アルケニル、アルキニル、シクロアルキル、シクロアルケニル、アリール、アリールアルキル、ヘテロアリール、ヘテロアリールアルキル、還元型ヘテロアリール、還元型ヘテロアリールアルキル、−ＯＲ６、−ＮＨＣＸ１Ｘ２ＣＯ２Ｒ６、又は−ＮＲ６Ｒ７であり；
Ｒ５は、水素、アルキル、アルケニル、アルキニル、シクロアルキル、シクロアルケニル、アリール、アリールアルキル、ヘテロアリール、ヘテロアリールアルキル、還元型ヘテロアリール、又は還元型ヘテロアリールアルキルであり；
Ｒ６及びＲ７は独立に、水素、アルキル、アルケニル、アルキニル、シクロアルキル、シクロアルケニル、アリール、アリールアルキル、ヘテロアリール、還元型ヘテロアリール、還元型ヘテロアリールアルキル、又は−（ＣＨ２）ｎ（ＯＲ５）ｍ（式中、ｎは１ないし１２であり、好ましくは２ないし１０であり、ｍは１ないし３であり、Ｒ５が最も好ましくはＣ２−Ｃ１０アルキルである）であり；
Ｘ１及びＸ２が独立に、水素、アルキル、アルケニル、アルキニル、シクロアルキル、シクロアルケニル、アリール、ヘテロアリール、アリールアルキル、ヘテロアリールアルキル、還元型ヘテロアリール又は還元型ヘテロアリールアルキルである。
【請求項２】  化合物（Ｉ）が式（ＩＩ）で示される化合物、又はその薬学的に受け入れ可能な塩、エステル、アミド又はプロドラッグである、請求項１に記載の使用。
【化２】
2002534388.tif 000002
式中、
Ｒ１、Ｒ４、Ｒ５、Ｒ６、Ｒ７、Ｘ１及びＸ２は式（Ｉ）に関する上記の規定に同じであり；
Ｒ８、Ｒ９、Ｒ１０、Ｒ１１はそれぞれ独立に水素、ハロ、ヒドロキシ、アミノ、ニトロ、シアノ、又は上記規定のＲ１基；
またはＲ１２Ｑ基（ここでのＱは、Ｏ、ＣＯ、ＣＯＮＨ、ＮＨＣＯ、Ｓ、ＳＯ、ＳＯ２又はＳＯ２ＮＨ２であり、Ｒ１２は、水素又は上記に規定したＲ１基である）；
またはＲ１Ｒ２Ｎ基（ここでのＲ１は、上記規定の通りであり、Ｒ２は、水素又はＲ１であり、ただしＲ１及び／又はＲ２のどのヘテロ原子置換基も、少なくとも２炭素原子分（好ましくは飽和型）、環外酸素原子から隔てられていなければならない）である。
【請求項３】  式（ＩＩ）で示される化合物において、Ｒ１は２５個以下の炭素原子を有する分岐型又は非分岐型アルキル基、アリール基、アルキル部分が２５個以下の炭素原子を有するアリールアルキル基、またはアリールアリール基であり；前記アリールアルキル基またはアリールアリール基はスペーサーにより隔てられ得、前記スペーサーは１又はそれ以上のエステル、アミド、Ｏ、ＣＨ２又はケトンであり得；
Ｒ８は、水素又はフッ素であり；
Ｒ９は、１ないし１０個の炭素原子を有する低級分岐型又は非分岐型アルキル；３ないし１０個の炭素原子を有する環式アルキル；ハロアルキル；又はハロゲンであり；
Ｒ１０は、１ないし１０個の炭素原子を有する水素低級分岐型又は非分岐型アルキル；３ないし１０個の炭素原子を有する環式アルキル；ハロアルキル；ハロゲンであり；
Ｒ１１は、１ないし１０個の炭素原子を有する水素低級分岐型又は非分岐型アルキル、又はハロゲンである、請求項２に記載の使用。
【請求項４】  前記肥満関連障害は、高脂肪症、高脂質症、高血糖症（ＩＩ型糖尿病）、高血圧症、心臓血管病、脳卒中、胃腸疾患、及び胃腸状態から選択される、請求項１ないし３のいずれか１項に記載の使用。
【請求項５】  前記薬剤は、体脂肪中のトキシンのレベルを減少させるためのものである、請求項１ないし３のいずれか１項に記載の使用。
【請求項６】  前記薬剤はヒト投与用である、請求項１ないし５のいずれか１項に記載の使用。
【請求項７】  前記薬剤は動物投与用である、請求項１ないし５のいずれか１項に記載の使用。
【請求項８】  式（ＩＩａ）の化合物、又はその薬学的に受け入れ可能な塩、エステル、アミド又はプロドラッグ。
【化３】
2002534388.tif 000003
式中：
Ｒ１ａは、
（ｉ）Ｃ１０−３０の分岐型又は非分岐型アルキルであり、任意に１または２以上のＣ３−６シクロアルキル、Ｃ３−６シクロアルケニル、アリール、ヘテロアリール、還元型ヘテロアリール、−Ｃ（Ｏ）Ｒ１３、−ＣＯ２Ｒ１３、−ＳＯＲ１３、−ＳＯ２Ｒ１３、−ＮＲ１３Ｒ１４、−ＯＲ１３、−ＳＲ１３、−Ｃ（Ｏ）ＮＲ１３Ｒ１４、−ＮＲ１４Ｃ（Ｏ）Ｒ１３、ハロゲン、シアノ及びニトロにより独立に置換され、及び／又は１または２以上の酸素原子により任意に割り込まれ、ただし、Ｒ１におけるどのヘテロ原子も少なくとも２炭素原子分（好ましくは飽和型）、環外酸素原子（又はその他のヘテロ原子）から隔てられなければならない；
（ｉｉ）Ｃ２−２５アルケニル、Ｃ２−２５アルキニル、Ｃ３−６シクロアルケニル、アリール−Ｃ２−２５アルケニル、ヘテロアリール−Ｃ２−２５アルケニル、還元型ヘテロアリール、還元型ヘテロアリール−Ｃ１−２５アルキル、またはこれらの置換誘導体であり、ここでの置換基は独立に１又は２以上のＣ１−６アルキル、ハロ置換型Ｃ１−６アルキル、アリール、アリール−Ｃ１−６アルキル、ヘテロアリール、還元型ヘテロアリール、還元型ヘテロアリール−Ｃ１−６アルキル、Ｃ１−６アルコキシ、アリールＣ１−６アルコキシ、−Ｃ（Ｏ）Ｒ１３、−ＣＯ２Ｒ１３、−ＳＯＲ１３、−ＳＯ２Ｒ１３、−ＮＲ１３Ｒ１４、−ＯＲ１３、−ＳＲ１３、−Ｃ（Ｏ）ＮＲ１３Ｒ１４、−ＮＲ１４Ｃ（Ｏ）Ｒ１３、ハロゲン、シアノ及びニトロであり、ただし、Ｒ１におけるどのヘテロ原子も少なくとも２炭素原子分（好ましくは飽和型）、環外酸素原子（又はその他ヘテロ原子）より隔てられなければならない；
（ｉｉｉ）１又はそれ以上の酸素原子により割り込まれたＣ２−９アルキル基であり、任意に１又はそれ以上のＣ３−６シクロアルキル、Ｃ３−６シクロアルケニル、アリール、ヘテロアリール、還元型ヘテロアリール、−Ｃ（Ｏ）Ｒ１３、−ＣＯ２Ｒ１３、−ＳＯＲ１３、−ＳＯ２Ｒ１３、−ＮＲ１３Ｒ１４、−ＯＲ１３、−ＳＲ１３、−Ｃ（Ｏ）ＮＲ１３Ｒ１４、−ＮＲ１４Ｃ（Ｏ）Ｒ１３、ハロゲン、シアノ及びニトロにより独立に置換されており、ただし、Ｒ１におけるどのヘテロ原子も少なくとも２炭素原子分（好ましくは飽和型）、環外酸素原子（又はその他ヘテロ原子）より隔てられなければならない；又は
（ｉｖ）−Ｃ（Ｏ）Ｒ１３、−ＣＯ２Ｒ１３、−ＳＯＲ１３、−ＳＯ２Ｒ１３、−ＮＲ１３Ｒ１４、−ＯＲ１３、−ＳＲ１３、−Ｃ（Ｏ）ＮＲ１３Ｒ１４、−ＮＲ１４Ｃ（Ｏ）Ｒ１３、テトラヒドロナフチル、ピリジル、ピロリル、ピペリジニル、ハロゲン、シアノ、ニトロ、２環式アリール、２環式ヘテロアリール、単環式又は２環式還元型ヘテロアリール、又はイミダゾリル以外の単環式ヘテロアリールから選択される基により置換されたＣ１−９アルキル基；
（ｖ）ＯＲ１７、−ＣＯＲ１３、−ＣＯ２Ｒ１３、ＳＯＲ１３、ＳＯ２Ｒ１３、ＣＯＮＲ１３Ｒ１４、ＮＲ１４Ｃ（Ｏ）Ｒ１３、ハロ置換型Ｃ１−６アルキル、アリール、アリールＣ１−６アルキル、ヘテロアリール及びヘテロアリールＣ１−６アルキルより選択された基により置換されたフェニル基；
（ｖｉ）２環式アリール、２環式ヘテロアリール、単環式又は２環式還元型ヘテロアリール、又はイミダゾリル以外の単環式ヘテロアリール基であり、ＯＲ１７、−ＣＯＲ１３、−ＣＯ２Ｒ１３、ＳＯＲ１３、ＳＯ２Ｒ１３、ＣＯＮＲ１３Ｒ１４、ＮＲ１４Ｃ（Ｏ）Ｒ１３、ハロ置換型Ｃ１−６アルキル、アリール、アリールＣ１−６アルキル、ヘテロアリール及びヘテロアリールＣ１−６アルキルから選択された基により任意に置換されており；
前記Ｒ１３及びＲ１４は互いに独立に水素、Ｃ１−１０アルキル、Ｃ２−１０アルケニル、Ｃ２−１０アルキニル、Ｃ３−６シクロアルキル、Ｃ３−６シクロアルケニル、アリール、アリールＣ１−１０アルキル、ヘテロアリール、ヘテロアリールＣ１−１０アルキル、還元型ヘテロアリール又は還元型ヘテロアリール、Ｃ１−１０アルキルを表し、且つＲ１７は水素又はＣ２−１０アルケニル、Ｃ２−１０アルキニル、Ｃ３−６シクロアルキル、Ｃ３−６シクロアルケニル、アリール、アリールＣ１−１０アルキル、ヘテロアリール、ヘテロアリールＣ１−１０アルキル、還元型ヘテロアリール又は還元型ヘテロアリール、Ｃ１−１０アルキルを表し；
Ｒ８ａ、Ｒ９ａ、Ｒ１０ａ及びＲ１１ａはそれぞれ独立に水素、ハロ、ヒドロキシ、アミノ、ニトロ、シアノ、チオール、Ｃ１−１０アルキル、Ｃ１−１０アルコキシ、Ｃ１−１０シクロアルキル、Ｃ１−１０シクロアルコキシ、Ｃ（Ｏ）Ｒ１５、Ｃ（Ｏ）ＮＲ１５Ｒ１６、Ｓ（Ｏ）Ｒ１５又はハロＣ１−１０アルキルであり；
前記Ｒ１５及びＲ１６は、それぞれ独立に水素又はＣ１−１０アルキルを表す。
但し、Ｒ８ａ、Ｒ９ａ、Ｒ１０ａ及びＲ１１ａが水素であるとき、Ｒ１はＣＨ２ＣＨ２Ｃｌ又はＣ３アルケニルではない。
【請求項９】  Ｒ１ａはＣ１０−２０分岐型又は非分岐型アルキル基であり、任意に１または２個の酸素原子により割り込まれており、および／または任意に１又は２以上のアリール、アリールオキシ、ヘテロアリール、ヘテロアリールオキシ、シアノ、ニトロ、−ＣＯ２Ｒ１３、ＮＲ１３Ｒ１４、−ＣＯＮＲ１３Ｒ１４、ＯＨ、及びハロゲンにより置換されており、前記Ｒ１３及びＲ１４はそれぞれ独立に水素又はＣ１−６アルキルを表す、請求項８に記載の化合物。
【請求項１０】  Ｒ１ａは１４，１５，１６，１７又は１８個の炭素原子を有する非分岐型アルキル鎖である、請求項８又は９に記載の化合物。
【請求項１１】  Ｒ８ａは水素又はハロゲンである請求項８ないし１０のいずれか１項に記載の化合物。
【請求項１２】  Ｒ９ａは水素、１ないし１０個の炭素原子を有する低級分岐型又は非分岐型アルキル、３ないし６個の炭素原子を有する環式アルキル、ハロＣ１−６アルキル、又はハロゲンである、請求項８ないし１１のいずれか１項に記載の化合物。
【請求項１３】  Ｒ１０ａは水素、１ないし１０個の炭素原子を有する低級分岐型又は非分岐型アルキル、３ないし６個の炭素原子を有する環式アルキル、ハロＣ１−６アルキル、又はハロゲンである、請求項８ないし１２のいずれか１項に記載の化合物。
【請求項１４】  Ｒ１１ａは水素、ハロゲン又は１ないし１０個の炭素原子を有する分岐型又は非分岐型アルキルである、請求項８ないし１３のいずれか１項に記載の化合物。
【請求項１５】  式（ＩＩｂ）の化合物。
【化４】
2002534388.tif 000004
式中、Ｒ１は式（ＩＩ）に関する規定の通りであり、Ｒ８、Ｒ９、Ｒ１０及びＲ１１の少なくとも１つはＣ８−２０アルキル基、好ましくはＣ８−１０アルキル基を表す。
【請求項１６】  以下より選択される式（ＩＩ）の新規化合物。
２−（４−メチルフェノキシ）−４Ｈ−３，１−ベンゾオキサジン−４−オン、
２−（４−クロロフェノキシ）−４Ｈ−３，１−ベンゾオキサジン−４−オン、
６−メチル−２−フェノキシ−４Ｈ−３，１−ベンゾオキサジン−４−オン、
２−（２−エチルヘキシルオキシ）−４Ｈ−３，１−ベンゾオキサジン−４−オン、
６−メチル−２−オクチルオキシ−４Ｈ−３，１−ベンゾオキサジン−４−オン、
２−ヘキシルオキシ−６−メチル−４Ｈ−３，１−ベンゾオキサジン−４−オン、
２−（２−エチルヘキシルオキシ）−６−メチル−４Ｈ−３，１−ベンゾオキサジン−４−オン、
２−エチル−２−ヘキシルオキシ−４Ｈ−３，１−ベンゾオキサジン−４−オン、
７−エチル−２−ヘキシルオキシ−４Ｈ−３，１−ベンゾオキサジン−４−オン、
７−エチル−２−オクチルオキシ−４Ｈ−３，１−ベンゾオキサジン−４−オン、
２−オクチルオキシ−４Ｈ−３，１−ベンゾオキサジン−４−オン、
６−メトキシ−２−オクチルオキシ−４Ｈ−３，１−ベンゾオキサジン−４−オン、
２−へキシルオキシ−４Ｈ−３，１−ベンゾオキサジン−４−オン、
６−ヨード−２−オクチルオキシ−４Ｈ−３，１−ベンゾオキサジン−４−オン、
２−オクチルオキシ−７−プロピル−４Ｈ−３，１−ベンゾオキサジン−４−オン、
６−メチル−２−（８−フェニルオクチルオキシ）−４Ｈ−３，１−ベンゾオキサジン−４−オン、
６−メチル−２−（４−フェニルブチルオキシ）−４Ｈ−３，１−ベンゾオキサジン−４−オン、
５−メチル−２−オクチルオキシ−４Ｈ−３，１−ベンゾオキサジン−４−オン
又は、その薬学的に受け入れ可能な塩、エステル、アミド、又はプロドラッグ。
【請求項１７】  以下より選択される式（ＩＩａ）の化合物。
２−デシルオキシ−６−メチル−４Ｈ−３，１−ベンゾオキサジン−４−オン、
６−メチル−２−テトラデシルオキシ−４Ｈ−３，１−ベンゾオキサジン−４−オン、
６−メチル−２−ペンタデシルオキシ−４Ｈ−３，１−ベンゾオキサジン−４−オン、
２−ヘプタデシルオキシ−６−メチル−４Ｈ−３，１−ベンゾオキサジン−４−オン、
６−メチル−２−オクタデシルオキシ−４Ｈ−３，１−ベンゾオキサジン−４−オン、
２−（３，７−ジメチルオクチルオキシ）−６−メチル−４Ｈ−３，１−ベンゾオキサジン−４−オン、
２−［２−（２−ヘキシルオキシエトキシ）エトキシ］−６−メチル−４Ｈ−３，１−ベンゾオキサジン−４−オン、
２−（オクタデカ−９−エニルオキシ）−６−メチル−４Ｈ−３，１−ベンゾオキサジン−４−オン、
２−（１０−フェニルデシルオキシ）−４Ｈ−３，１−ベンゾオキサジン−４−オン、
６−メチル−２−（４−フェノキシフェノキシ）−４Ｈ−３，１−ベンゾオキサジン−４−オン、
２−ドデシルオキシ−６−メチル−４Ｈ−３，１−ベンゾオキサジン−４−オン、
６−メチル−２−（１２−フェニルドデシルオキシ）−４Ｈ−３，１−ベンゾオキサジン−４−オン、
６−メチル−２−（オクタデカ−１１−エニルオキシ）−４Ｈ−３，１−ベンゾオキサジン−４−オン、
６−メチル−２−（オクタデカ−１１−イニルオキシ）−４Ｈ−３，１−ベンゾオキサジン−４−オン、
６−メチル−２−［１０−（チエン−２−イル）−デシルオキシ］−４Ｈ−３，１−ベンゾオキサジン−４−オン、
７−オクチル−２−オクチルオキシ−４Ｈ−３，１−ベンゾオキサジン−４−オン、
６−オクチル−２−オクチルオキシ−４Ｈ−３，１−ベンゾオキサジン−４−オン、
２−（５−クロロペンチルオキシ）−６−メチル−４Ｈ−３，１−ベンゾオキサジン−４−オン、
２，２’−（１，１６−ヘキサデシルイデンジオキシ）−ビス−４Ｈ−３，１−ベンゾオキサジン−４−オン、
６−メチル−２−（６−フェノキシへキシルオキシ）−４Ｈ−３，１−ベンゾオキサジン−４−オン、
６−メチル−２−［６−（４−フェノキシフェノキシ）へキシルオキシ）−４Ｈ−３，１−ベンゾオキサジン−４−オン；
又はその薬学的に受け入れ可能な塩、エステルアミド、又はプロドラッグ。
【請求項１８】  ２−ヘキサデシルオキシ−６−メチル−４Ｈ−３，１−ベンゾオキサジン−４−オン又はその薬学的に受け入れ可能な塩、エステル、アミド、又はプロドラッグである、式（ＩＩａ）の化合物。
【請求項１９】  以下の工程を含む、請求項８〜１８のいずれか１項に規定された化合物の合成方法。
工程（Ａ）：式（ＩＶ）の化合物を式（Ｖ）の化合物と反応させる工程。
【化５】
2002534388.tif 000005
【化６】
2002534388.tif 000006
又は、
工程（Ｂ）：式（ＶＩ）の化合物を環化する工程。
【化７】
2002534388.tif 000007
式中、Ｒ１及びＲ８−Ｒ１１が上記の規定に同じであり、且つＲ１８が水素又はＣ１−６アルキルである。
又は、
工程（Ｃ）：式（ＶＩＩ）の化合物を式（ＶＩＩＩ）の化合物と反応させる工程。
【化８】
2002534388.tif 000008
【化９】
2002534388.tif 000009
又は、
工程（Ｄ）：式（Ｉ）、（ＩＩ）、又は（ＩＩａ）の化合物を式（ＩＩａ）の異なる化合物に変換する工程。
【請求項２０】  薬剤に使用するための請求項８ないし１８のいずれか１項に記載の化合物。
【請求項２１】  請求項８ないし１８の何れか１項に記載の式（ＩＩ）の新規化合物又は薬学的に受け入れ可能なその塩、エステル、アミド、又はプロドラッグを、薬学的に受け入れ可能なキャリアー又は賦形剤と組合せて含む薬学的組成物。
【請求項２２】  肥満又は肥満関連障害の予防及び／又は治療に使用される請求項２０に記載の化合物、または請求項２１に記載の組成物。
【請求項２３】  肥満関連障害が高脂質症、高脂肪症、高血糖症（ＩＩ型糖尿病）、高血圧症、心臓血管病、脳卒中、胃腸疾患、及び胃腸状態から選択される、請求項２２に記載の化合物。
【請求項２４】  請求項８ないし１８の何れか１項に記載の式（ＩＩ）の化合物、又は薬学的に受け入れ可能なその塩、エステル、アミド、又はプロドラッグを含む食物製品。
【請求項２５】  肥満又は肥満関連障害を予防又は治療する方法であって、前記方法は、請求項１ないし１８の何れか１つにき化合物、又は請求項２１又は２２に記載の組成物を患者に投与することを具備する、前記方法。
【請求項２６】  好ましい作用様式がエステル官能基の加水分解を触媒することである酵素の阻害に使用するための、請求項１ないし１８の何れか１つに規定した化合物。
【請求項２７】  ヒトの消費に供する肉を提供する動物の脂肪含有量を減少させるための、請求項１ないし１８の何れかに規定の化合物、又はその薬学的に受け入れ可能な塩、エステル、アミド又はプロドラッグの使用。
【請求項２８】  一定の体重を維持するための、または美容的減量のための美容法であって、請求項１ないし１８の何れかに規定した化合物の投与を含む、前記美容法。
【請求項２９】  １または２以上の実施例を参照して本明細書で以前に記載した式（Ｉ）を含む化合物。
【請求項３０】  １または２以上の実施例を参照して本明細書で以前に記載した式（Ｉ）を含む化合物を得るための方法。
【請求項３１】  １または２以上の実施例を参照して本明細書で以前に記載した、好ましい作用形態がエステル官能基の加水分解を触媒することである酵素の阻害における、式（Ｉ）を含む化合物の使用。
【請求項３２】  方法又は製品における望まれない酵素の制御又は阻害における、式（Ｉ）の化合物の請求項１に記載の使用。
【請求項３３】  界面活性剤、石鹸、又は洗剤を含む、ヘルスケアグッズの製造における、請求項１に記載の使用。
【請求項３４】  脂肪を含む食品の分解の防止における請求項１に記載の使用。
【請求項３５】  前記式（ＶＩ）（式中、Ｒ１及びＲ８−Ｒ１１は請求項８ないし１８のいずれか１項に規定される通りであり、Ｒ１８は水素又はC１−１６アルキルである。）の中間体。